(57)【要約】      （修正有）【課題】冷え性で足先が温まらないためによく眠れないことを解消するために、就寝時パジャマなどの寝具とともに使用する靴下などの保温具が締めつけ感を与えず、ふくらはぎ上部から足先を保温し、血流を促し温かく快適な睡眠がえられる保存温袋の提供。【解決手段】ふくらはぎ上部から足先まで締めつけにくく保温するために、一端に開口部２を有する袋状の足保温袋１と、足保温袋の他端に略半円状を形成する様に閉じた先端部３を有するもので、使用者の締めつけ感を感じない好みの大きさに調節する紐通し部５と、いったん調節すると使用時ごとの調節が省け、使用時は前面に取り付けた着脱用のファスナー４の開閉のみで着脱が容易な足保温袋である。また、足保温袋１３の他端の先端部を足に沿った形状にし、就寝後の歩行など安全性を高めるために足底部にはすべり止めを取り付けることもできる。【選択図】図２
0003123700.tif 000002
【実用新案登録請求の範囲】
【請求項１】
一端に開口部を有する袋状の足保温袋と、前記足保温袋の他端に略半円状を形成する様に閉じた先端部と、前記開口部から前側の先端部方向に開閉するファスナーと、前記開口部の周縁に沿って取り付けられた紐通し部とをそなえることを特徴とする足保温袋。
【請求項２】
前記紐通し部は、ふくらはぎ上部に位置する紐通し部を調節することにより、ふくらはぎ中央部のふくらみを利用してずり下がりを防止することを特徴とする請求項１記載の足保温袋。
【請求項３】
前記紐通し部は、第一の紐通し部と、第二の紐通し部からなり、前記第一および第二の紐体の一端は、それぞれ前記ファスナー側に固定され、前記開口部内を挿通し、他端部の開口部周縁の孔より露出された２本の紐体を有することを特徴とする請求項１または２記載の足保温袋。  
【請求項４】
前記紐通し部は、前記孔を後方に設けたことを特徴とする請求項３記載の足保温袋。
【請求項５】
一端に開口部を有する袋状の足保温袋と、前記足保温袋の他端に略半円状を形成する
様に閉じた先端部と、前記開口部から前側の先端部方向に開閉するファスナーと、前記開口部から前記先端部方向に切り込みをいれ、前記切り込みをさかいとした一方の側の前記開口部周縁の表側に面状ファスナーを取り付け、他方の側の前記開口部周縁の裏側に対応する面状ファスナーを取り付けたことを特徴とする足保温袋。
【請求項６】
一端に開口部を有する袋状の足保温袋と、前記足保温袋の他端に略半円状を形成する
様に閉じた先端部と、前記開口部から前側の先端部方向に開閉するファスナーと、前記開口部周縁の表側の同一面の両サイドに面状ファスナーを取り付けた帯状の紐と、前記帯状の紐の一端部は前記開口部周縁に縫合され、前記帯状の紐の他端部は所定の距離はなれ、前記開口部周縁の方向に離間した位置に挿通可能にとりつけられた環状の部品に挿通され、前記帯状の紐は前記面状ファスナーによって固定され前記開口部周縁の絞りこみ量を調節することを特徴とする足保温袋。
【請求項７】
請求項１から６のいずれか一項に記載の足保温袋において、前記足保温袋の他端の先端部を足に沿った形状とし、足底部にはすべり止めを有することを特徴とする足保温袋。
【考案の詳細な説明】
【技術分野】
【０００１】
本考案は、就寝時にパジャマなど寝具の上に簡単に装着する足保温袋に関する。
【背景技術】
【０００２】
パジャマなどの寝具が、睡眠時、布団の中で捲れ上がり足先を冷やしよく眠れないことや寝相によって布団を蹴り足が布団から出て足先が冷えて起きてしまうことなど不快な症状があり、冷え性で足先が温まらないために靴下を履いて寝るなどの対策をとっていたが、靴下による締めつけが血行を止めてしまうことや寝相により靴下も脱いでしまうため、下記のような発明がされている。
【０００３】
上肢と下肢に袋状の寝具を装着し、それぞれ紐状部材によって肩部と腰部に固定し離脱を防止した四肢の体温上昇を促進する健康寝具が知られている。（例えば、特許文献１参照）
【０００４】
就寝時には爪先を暖かくカバー出来るようにした、足首から膝にかけた円筒形状の脚部に装着するレッグウォーマーが知られている。（例えば、特許文献２参照）
【特許文献１】特開平１０−８８４０８号公報
【特許文献２】実登第３０８８４７８号公報
【考案の開示】
【考案が解決しようとする課題】
【０００５】
特許文献１は、保温寝具による締めつけ感を与えず、上肢及び下肢を保温する寝具を開示するが、下肢用の健康寝具は使用中の離脱を防止するために下肢用袋状寝具に取り付けた保持バンドの一端を腰に巻いたベルトと体との間の隙間に差し入れる圧着ファスナーによって固定するもので、構造が複雑で部品数が多いため、取り付けが煩わしく、時間がかかり装着が面倒である。
【０００６】
また、下肢用の健康寝具は足袋部分が寝具と摩擦により腰に巻いたベルトは寝具との摩擦をおこし下肢方向に突っ張る状態になり腰部を締めつけ、リラックスして寝るために就寝時に必要以上に窮屈感と締めつけ感をもたらせ、使用者の不快感になる。
【０００７】
特許文献２は、下肢部に装着する円筒形状の足保温袋によって、足首から膝にかけて保温し、爪先カバーによって足先も保温できるが、伸縮性を有する丸編機で連続編成した編地により構成され、足保温袋の長さ方向の中央より上側部にずれ止め用の収縮部を設けたレッグウォーマーは、生地本来の材質により足部全体が締めつけられ、ずれ止め用の収縮部は血行不良の要因にもなり、血行不良は冷え性の大敵であるため、使用者の本来のつま先まで暖める目的とは反するものとなる。
【０００８】
また、ずれ止め用の収縮部は足を密着することによりずれ止めを防止しているため、寝時、寝具との摩擦や寝相によってずれることとなり、ずれた部分が足部の一箇所に集まり、より血行をさまたげる要因となる。
【０００９】
上記問題点を考み、本考案では、ふくらはぎを締めつけにくく調節し、いったん調節すると、使用時は前側に取りつけたファスナーの開閉のみで、安易な使用ができる足保温袋を提供することを目的とする。
【課題を解決するための手段】
【００１０】
本発案に係る足保温袋は、一端に開口部を有する袋状の足保温袋と、足保温袋の他端に略半円状を形成する様に閉じた先端部とし、開口部の前側に先端部方向に開閉するファスナーとし、開口部の周縁に沿って取り付けられた紐通し部とをそなえる構造ができる。
【００１１】
また、紐通し部は、ふくらはぎ上部に位置する紐通し部を調節することにより、ふくらはぎ中央部のふくらみを利用してずり下がりを防止する構造であってもよい。
【００１２】
紐通し部は、第一の紐通し部と、第二の紐通し部からなり、第一および第二の紐体の一端は、それぞれファスナーに固定され、開口部内を挿通し、他端部の開口部周縁の孔より露出された２本の紐体を有する構造であってもよい。
【００１３】
紐通し部は、紐体が露出し絞り量を調節し係止するための孔は、開口部周縁の後方
に設ける構造であっても良い。
【００１４】
また、一端に開口部を有する袋状の足保温袋と、足保温袋の他端に略半円状を形成する様に閉じた先端部とし、開口部の前側に先端部方向に開閉するファスナーとし、開口部周縁から先端部方向に切り込みをいれ、切り込みをさかいとした一方の開口部周縁の表側に面状ファスナーを取り付け、他方の開口部周縁の裏側に対応する面状ファスナーを取り付け係止する構造もよい。
【００１５】
それから、一端に開口部を有する袋状の足保温袋と、足保温袋の他端に略半円状を形成する様に閉じた先端部とし、開口部の前側に先端部方向に開閉するファスナーとし、開口部周縁の表側の同一面の両サイドに、面状ファスナーを取り付けた帯状の紐と、帯状の紐の一端部は開口部周縁に縫合され、帯状の紐の他端部は所定の距離はなれた開口部周縁の方向に離間した位置に挿通可能に取りつけられた環状の部品に挿通され、帯状の紐は面状ファスナーによって固定され開口部周縁の絞りこみ量を調節する構造もよい。  
【００１６】
本考案にかかる足保温袋は、開口部周縁の調整具は、紐通し部や面状ファスナーなどを用い、足保温袋の他端の先端部に隙間を設け、足に沿った形状とし、足底部にはすべり止めを有する構造もできる。
【考案の効果】
【００１７】
本考案を就寝時にパジャマなど寝具の上に装着すると、一端に開口部を有する袋状の足保温袋と、足保温袋の他端に略半円状を形成する様に閉じた先端部により、足先からふくらはぎ上部まで締めつけにくく覆い、保温することができることは、第２の心臓と呼ばれ、日中の歩行時による下半身に滞りがちな血流を押し戻すポンプの役目をするふくらはぎを温めることによって、下半身のみならず全身の血行を促し、温かく快適な睡眠が得られる効果がある。
【００１８】
また、ふくらはぎ上部に位置する紐通し部により使用者が締めつけ感を感じない程
度の大きさに調節することは、ふくらはぎ上部を締めつけるものではなく、調節され
た開口部はふくらはぎの中央部付近の大きさより小さければ、ふくらはぎのふくらみ
を利用してふくらはぎより下にさがること防止することとなり、布団など寝具との摩
擦によるずれ下がりも防止し、就寝時に無意識で脱衣する心配もなくなり、安心して
リラックスした睡眠が得られる。
【００１９】
それから、紐通し部は、第一の紐通し部と、第二の紐通し部からなり、第一および第二の紐体の一端は、それぞれファスナーに固定され、開口部周縁を挿通し、他端部の開口部周縁の孔より露出された２本の紐体を有することにより、開口部はきりかいたファスナーの開閉を阻害することなく使用でき、紐体によって開口部の絞り量を調節することができ、開口部の前側の先端部方向に開閉するファスナーを有することは、紐通し部を使っていったん絞り量を調節すると、使用時はファスナーの開閉のみで着脱でき、脱ぎ着するたびに調節する手間を省くことになり、着脱用ファスナーとして安易な使用が可能となる。
【００２０】
紐通し部の紐体が挿通した孔は、開口部周縁のファスナーの対周縁側後方に設けることにより、露出した孔からファスナー方向に同じ長さの紐体を使用することとなり絞り量を調節しやすく、紐体の結び目やコードストッパーなどはふくらはぎ上部の膝下裏側付近になり、寝具との隙間があき就寝の邪魔にならない。
【００２１】
また、開口部周縁から先端部方向に切り込みをいれ、切り込みをさかいとした一方の側の開口部周縁の表側に面状ファスナーを取り付け、他方の側の開口部周縁の裏側に対応する面状ファスナーを取り付けたことは、開口部の絞り量を調節するのに操作が簡単で、老人や子どもや手が自由に動きにくい人などでも操作手順が簡単で容易に扱うことができる。
【００２２】
それから開口部周縁の表側の同一面の両サイドに面状ファスナーを取り付けた帯状の紐と、帯状の紐は一端部は開口部周縁に縫合され、帯状の紐の他端部は所定の距離はなれた開口部周縁の方向に離間した位置に挿通可能な環状の部品を取り付けることは、帯状の紐に結合して開口部周縁の絞りこみ量を調節可能な調節具となり、切り込みを入れる必要がなく製作が容易で、コスト面も安価となり、袋状の足保温袋としてはきやすく、ワンタッチで絞りこめて使用も容易である。  
【００２３】
本考案にかかる足保温袋は、足保温袋の他端の先端部に隙間を設け、足に沿った形状にすることにより、長靴などの形状に似たデザイン性と見栄えもよくし、就寝時の歩行に支障なく歩きやすくするなどの効果もあり、足底部にはすべり止めを有する構造もでき、就寝時や就寝後の歩行など安全性を高め安心して使用する効果もある。    
【考案を実施するための最良の形態】
【００２４】
以下に本考案の実施の形態を図面を参照して具体的に説明する。  
【００２５】
図１に示すように本考案に係る足保温袋は、一端に開口部２を有する袋状の足保温袋１と、他端に略半円状を形成する様に閉じた先端部３を有し、袋状の足保温袋１の幅はふくらはぎが締めつけにくく、ゆったりとできる幅を必要とし、３００ｍｍ内外あればよく、一端の開口部２から閉じた先端部３までの長さは６００ｍｍ内外とし、開口部２の前側に先端部３方向に開閉するファスナー４を有し、ファスナー４の長さは膝下の開口部２から足首付近まで開閉できる長さを必要とし、３５０ｍｍ内外あればよく、開口部２の縁側に沿って取り付けられた紐通し部５を有し、紐通し部５から孔６を挿通し紐体７が露出するふくらはぎ上部付近で調節し、調節した紐体７は結ぶか、または図２に示すコードストッパー８で係止してもよい。
【００２６】
本考案の足保温袋１は、良好な保温性が得られる生地であればよく、キルティング加工された布や毛布や内側にボア加工されたものもよく、春秋用や冬用など季節によって使用者の要望にこたえ生地を選ぶこともでき、ファスナー４は生地に負担がなく軽い樹脂ファスナーなど用いることも好ましく、紐通し部５に使用する紐体７は生地を係止するために必要な太さで５ｍｍ内外あればよく、コードストッパー８は紐２本が通り係止できる大きさであれば良い。  
【００２７】
紐通し部５の紐体７が露出する孔６は、開口部２前面側に取りつけるファスナー４
に重複しない位置にあればよく、開口部２周縁に取りつけることができる。
【００２８】
図２は本考案に係る足保温袋の正面図であり、開口部２は紐通し部５により調節され、就寝時はファスナー４の開閉のみで使用するものを表したものであり、ふくらはぎが締めつけにくく、足や足先までも余裕をもって動かすことができ、足前面の膝下中央付近に位置するファスナー４は、開口部２の調節をしたまま開閉でき安易な着脱ができ、紐体７は紐通し部５から露出する孔６を挿通して調節できればよく、開口部２の周縁に沿って、開口部２の前面側に取り付けたファスナー４に重複しない位置にあれば好ましい。
【００２９】
図３は本考案に係る足保温袋の斜視図であり、開口部周縁に取りつけたファスナー
４は前面とし、その対向する後方を紐通し部５の紐体７が露出する孔６とし、第一の
紐通し部５ａと、第二の紐通し部５ｂからなる紐通し部５は第一および第二の紐体５
の一端は、それぞれファスナー４側に固定され、紐通し部５は、取り付けたファスナー
４から開口部２の周縁に沿って挿通され、開口部２周縁の後方に設けた孔６より露出
された二本の紐体７を有し、紐体７は結ぶかまたはコードストッパー８などの係止具
を用いることもできる。
【００３０】
図４は本考案に係る足保温袋の斜視図であり、開口部２から先端部３の方向に切り込み１０を１５０ｍｍ内外いれ、切り込み１０をさかいとした一方の側の開口部２周縁の表側に幅２０ｍｍ内外で長さ１５０ｍｍ内外の面状ファスナーを取り付け、他方の側の開口部２周縁の裏側に対応する面状ファスナー９を幅２０ｍｍ内外で長さ１５０ｍｍ内外取り付け、使用者の好みの大きさに調節し、使用時はファスナー４の開閉のみにより着脱ができる。
【００３１】
図５は本考案に係る足保温袋の斜視図であり、開口部２周縁の表側の同一面の両サイドに面状ファスナーを取り付けた帯状の紐１１の長さは１５０ｍｍ内外とし、帯状の紐１１の一部分を縫合し、帯状の紐１１の他端部は１００ｍｍ内外はなれた開口部２周縁の方向に離間した位置に挿通可能な環状の部品１２を取り付け、表側の同一面の両サイドに面状ファスナーを取り付けた前記帯状の紐１１は環状の部品１２を挿通して折り返し面状ファスナーによって固定され、開口部２周縁の絞りこみ量を調節可能な調節具とし、いったん調節すると使用時にはファスナー４の開閉のみで容易な使用ができるものとなる。
【００３２】
図６は本考案に係る足保温袋の変形例の側面図であり、一端に開口部２を有する袋状の足保温袋１４と、足保温袋１４の他端の先端部１３を足に沿った形状とし、足底部にはすべり止め１５を有するもので、長靴の形状に似たデザイン性と見栄えはふくらはぎから足先までゆったりとした幅をなすものであればよく、歩行時の安全面を配慮する足底部のすべり止め１５は、足底部全面につけることも可能である。
【００３３】
図６に示す足保温袋１４は、開口部２の調節具として紐体７を結ぶことやコードストッパー８で係止することや面状ファスナー９で固定することや帯状の紐１１を環状の部品１２に挿通し調節するなど一つをもちいて係止することもできる。
【００３４】
また、図１から図６までに示した調整具の取り付け位置は、ファスナーの開閉をさまたげない位置であればよく、開口部２の周縁に沿った一箇所であればよい。
【００３５】
本考案は、就寝時にパジャマの上からでも装着できるもので、ふくらはぎ上部から足先まで、しめにくく、ふくらはぎ上部は調節具により締めつけ感を感じない程度に調節し、ふくらはぎのふくらみを利用してふくらはぎより下にずれにくく、ずれ下がりや寝具との摩擦による脱衣を防止するもので、いったん絞り具により開口部２を調節すると、使用時は脱着用のファスナー４を開閉するだけで、日常の使用を安易にするものである。
【００３６】
図７に示す足保温袋１は、図４の変形の斜視図であり、ファスナー４は開口部から１００ミリメートル内外離間した位置から取り付け、開口部２の切り込み１０をさかいとした一方の側の開口部２周縁の表面に面状ファスナー９を取り付け、他方の側の開口部２周縁の裏面に対応する面状ファスナー９を取り付け、ファスナー４で開閉し面状ファスナーにより調節するものもできる。
【図面の簡単な説明】
【００３７】
【図１】本考案に係る足保温袋の側面図である。
【図２】同上の本考案に係る足保温袋の正面図である。
【図３】本考案に係る足保温袋の斜視図である。
【図４】本考案に係る足保温袋の斜視図である。
【図５】本考案に係る足保温袋の斜視図である。
【図６】本考案に係る足保温袋の変形例の側面図である。
【図７】本考案に係る足保温袋の斜視図である。
【符号の説明】
【００３８】
１  足保温袋
２  開口部
３  先端部
４  ファスナー
５  紐通し部
６  孔
７  紐体
８  コードストッパー
９  面状ファスナー
１０  切り込み
１１  帯状の紐
１２  環状の部品
１３  変形例の先端部
１４  変形例の足保温袋
１５  すべり止め
【図１】
0003123700.tif 000003
【図２】
0003123700.tif 000004
【図３】
0003123700.tif 000005
【図４】
0003123700.tif 000006
【図５】
0003123700.tif 000007
【図６】
0003123700.tif 000008
【図７】
0003123700.tif 000009